(57)【要約】      （修正有）【課題】一種のリード形状と差込み角度変更可能な電源差込みの構造を提供する。【解決手段】一種のリード形状と差込み角度変更可能な電源差込みの構造に関わるもので、電源と接続する本体を有する。本体の端面に導電接点を設け、導電接点の他端はその端面の隣接面に延ばして、端面上の導電接点に垂直して設置する。さらに、導電接点は電気回線に接続する。なお、端面の両側に弾性の挿入物をそれぞれに取り付けて、本体に差込みを挿入する。差込みの両側に挿入溝をそれぞれに設ける。差込みの一端は開放状態であり、他端は封止状態である。このため、取り付けるとき、挿入物と挿入溝との組み合わせにより、差込みと本体を一体化に組み立てる。また、差込みは必要に応じて、導電接点いずれの一端に接続して、本体との結合角度を変更できる。差込みの挿入角度を変更したとき、封止された一端は差込みの接点に接続されていない端面上にかぶせて置き、誤って触れることを防止する。【選択図】図３
0003113417.tif 000002
【実用新案登録請求の範囲】
【請求項１】
一種のリード形状と差込み角度変更可能な電源差込みの構造において、
本体と、差込みと、からなり、
本体は電気装置と接続し、本体は電気装置を離れた一端に導電接点を設け、その導電接点の両端は垂直状態で本体の端面及び端面の隣接面に突き出して露出し、さらに、本体の両側に一定の間隔を置き、端面と本体につなぐ、弾性を有する挿入物を設け、
差込みは本体と互いに引っかけて接合し、差込み上にリードを設け、そのリードは任意の形より構成でき、リードの下部に台を設け、台の両側は挿入溝をそれぞれ設け、挿入溝は引っかけ部と組み合わせることができ、台の一面は封止状態であり、他の一面は開放状態であり、
取り付けるときは、差込みの台を本体に挿入し、挿入物の弾性により、引っかけ部を挿入溝に引っかけることにより、差込みと本体を組み合わせることができ、差込みは必要に応じて導電接点いずれの一端に接触させた上、本体との結合角度を変更でき、誤って触れることを防止するため、差込みの角度が変更したとき、差込みの封止面は差込みに接続していない導電接点の一端に被せて置くことを特徴とする、
一種のリード形状と差込み角度変更可能な電源差込みの構造。
【請求項２】
本体は電源差込であることを特徴とする請求項１に記載の一種のリード形状と差込み角度変更可能な電源差込みの構造。
【請求項３】
本体は変圧器であることを特徴とする請求項１に記載の一種のリード形状と差込み角度変更可能な電源差込みの構造。
【請求項４】
引っかけ部は一字形状の突き出し物であることを特徴とする請求項１に記載の一種のリード形状と差込み角度変更可能な電源差込みの構造。
【請求項５】
挿入溝は十字型であることを特徴とする請求項１に記載の一種のリード形状と差込み角度変更可能な電源差込みの構造。
【請求項６】
本体に光源を設けることを特徴とする請求項１に記載の一種のリード形状と差込み角度変更可能な電源差込みの構造。
【考案の詳細な説明】
【技術分野】
【０００１】
本発明は、一種のリード形状と差込み角度変更可能な電源差込みの構造に関する。
【背景技術】
【０００２】
本考案は一種のリード形状と差込み角度変更可能な電源差込みの構造に関わるもので、一種の互いに引っかけて接合することにより、様々なリード形状の差込みと電線をつないだ本体を交換できる、差込みは様々な角度で本体と接続できるほか、さらに、誤って触れる危険を防止するため、差込みに接触していない導電接点を被せて置くことができる。
【考案の開示】
【考案が解決しようとする課題】
【０００３】
現在、電子製品の種類が多いが、それらの電子製品は電気によって駆動される。また、その電源は携帯式と非携帯式に分けられる。さらに、携帯式電源はそれぞれの電源容量の持続時間を使用した後、充電をしなければならない。このため、旅先に非携帯式電源がないときを除き、非携帯式電源を使用しない。しかし、自宅の電源は世界各国に電源の電圧がそれぞれ異なるほか、電子製品の接続体もまちまちである。通常、公知の接続体又は変圧器の差し込みは、ほとんどは一種類しかない。このため、外出先で使用する利用者には、各種の差込み又は変圧器を用意し使用せざるを得ない。携帯上も極めて不便である。
【０００４】
このような需要に対応するため、一種のリード台差し替え可能な差込みが考案されている。図１に示す通り、その差込みは本体の共用する第一導電片及び電圧を入力するための第二導電片、第三導電片を接続し、本体ケースの底面に対応溝を設ける。前述した三つの導電片は対応溝の表面にそれぞれ設けて固定する。リード台は対応溝の形の底板を本体に移動可能に設置する。第一リードは第一導電片に当てて、第二リードは第二、三導電片のいずれに当てる。
【０００５】
このような装置は対応溝と底板との組み合わせにより、様々なリード台は差込みに挿設できるが、その対応溝は一つの面のみに設けているため、そのようなリード台と差し込みを結合できる角度は一つしかないため、使用面では理想と言えない。
【課題を解決するための手段】
【０００６】
本考案は前述した公知技術の問題点に対する改良である。
本考案の目的は一種のリード形状と差込み角度変更可能な電源差込みの構造の提供に関わる。本体を有し、本体は電気回線によって電器製品と接合する。その本体は電器製品と接続していない端面に導電接点を設け、導電接点の他端はその端面の隣接面に延ばして、端面上の導電接点と互いに垂直して設置する。その導電接点は電気回線に接続することにより、電器製品を導通する。さらに、端面の両側に端面と一定の間隔を置いた挿入物を設ける。その挿入物は弾性を有し、かつ、挿入物の表面にそれぞれ引っかけ部を設ける。さらに、本体に差込みを挿入する。その差込みに台を設けて、台の両側は挿入溝をそれぞれに設ける。挿入溝の形は引っかけ部に対応し、取り付けるとき、差込みの台を本体に挿入した上、挿入物の弾性により、引っかけ部を挿入溝内部に引っかける。これにより、差込みを本体と組み合わせることができる。さらに、差込みは必要に応じて、導電接点いずれの一端につないで、本体との結合角度を変更できる。
【０００７】
本考案のもう一つの目的は、一種のリード形状と差込み角度変更可能な電源差込みの構造の提供に関わる。その台の一面は開放状態であり、他の一面は封止状態である。差し込みの結合角度を変更したとき、封止面は差込みと接触していない接点の表面に被せて置き、利用者の不注意により接点に触れることを避けて、保護目的を果たせる。
【０００８】
本考案のさらにもう一つの目的は、一種のリード形状と差込み角度変更可能な電源差込みの構造の提供に関わる。その本体は電源差込又は変圧器より形成し、利用者の需要に対応する。
【０００９】
本願の第１考案は、一種のリード形状と差込み角度変更可能な電源差込みの構造において、本体と、差込みと、からなり、本体は電気装置と接続し、本体は電気装置を離れた一端に導電接点を設け、その導電接点の両端は垂直状態で本体の端面及び端面の隣接面に突き出して露出し、さらに、本体の両側に一定の間隔を置き、端面と本体につなぐ、弾性を有する挿入物を設け、差込みは本体と互いに引っかけて接合し、差込み上にリードを設け、そのリードは任意の形より構成でき、リードの下部に台を設け、台の両側は挿入溝をそれぞれ設け、挿入溝は引っかけ部と組み合わせることができ、台の一面は封止状態であり、他の一面は開放状態であり、取り付けるときは、差込みの台を本体に挿入し、挿入物の弾性により、引っかけ部を挿入溝に引っかけることにより、差込みと本体を組み合わせることができ、差込みは必要に応じて導電接点いずれの一端に接触させた上、本体との結合角度を変更でき、誤って触れることを防止するため、差込みの角度が変更したとき、差込みの封止面は差込みに接続していない導電接点の一端に被せて置くことを特徴とする、一種のリード形状と差込み角度変更可能な電源差込みの構造を提供する。
【００１０】
本願の第２考案は、本体は電源差込であることを特徴とする本願の第１考案に記載の一種のリード形状と差込み角度変更可能な電源差込みの構造を提供する。
【００１１】
本願の第３考案は、本体は変圧器であることを特徴とする本願の第１考案に記載の一種のリード形状と差込み角度変更可能な電源差込みの構造を提供する。
【００１２】
本願の第４考案は、引っかけ部は一字形状の突き出し物であることを特徴とする本願の第１考案に記載の一種のリード形状と差込み角度変更可能な電源差込みの構造を提供する。
【００１３】
本願の第５考案は、挿入溝は十字型であることを特徴とする本願の第１考案に記載の一種のリード形状と差込み角度変更可能な電源差込みの構造を提供する。
【００１４】
本願の第６考案は、本体に光源を設けることを特徴とする本願の第１考案に記載の一種のリード形状と差込み角度変更可能な電源差込みの構造を提供する。
【考案の効果】
【００１５】
本考案は差込みの使用効率を向上できるほか、公知技術の問題点を改良できる上、特殊な効果を有する。
【考案を実施するための最良の形態】
【００１６】
本考案の目的、形式、構造、装置の特長及びその機能について、より深く認識と理解するため、実施例と図面をもって、以下の通り説明する。
【実施例１】
【００１７】
本考案は一種のリード形状と差込み角度変更可能な電源差込みの構造に関わるもので、図２、３に示す通り、本体１０を有し、その本体１０は電源差込より構成する。本体１０内部に電気回線１１を設け、その電気回線１１の一端は外部に延ばして電器製品（図示しない）に接続し、他端は本体１０上の導電接点１２に接続する。導電接点１２の一端は本体１０と電器線路１１に接続する真正面上に露出する。他端は端面の隣接面に露出して互いに垂直して設置する。本体１０は導電接点１２向かい合った側面上に挿入物１３を設け、挿入物１３の一端と本体１０に接続する。挿入物１３の側面は本体１０と一定の間隔を置き、かつ、挿入物１３プラスチック材料を使用するため、挿入物１３は一定の弾性を有する。圧力を受けると本体１０に圧迫した後、従来の状態に戻る。さらに、挿入物１３は本体１０を離れている側面上に引っかけ部１４を設ける。本実施例において、一の字の突き出し物を使用する。（ただし、このような技術を熟知する者は、他の形状に代わることができる）。
【００１８】
さらに、本体１０上に差込み２０を挿入し、その差込み２０上にリード２２を設け、リード２２と電源コンセント（図示しない）は、フラット状（図６に示す）、又は円頭状（図２に示す）…など、様々なコンセント形状に合わせることができる。なお、リード２２の下部に台２１を設け、本実施例は内部中空の筐体を用いる。台２１はリード２２と一体化成型し、台２１に開先２５を設け、開先２５は本体１０の一端を収納できる。台２１の両側に挿入溝２３をそれぞれに設ける。挿入溝２３の形は引っかけ部１４に引っかけたとき、差込み２０と本体１０を垂直又は平行に変更することができる。本実施例において、十字型の開先を用いる。（ただし、このような技術を熟知する者は、他の形状に代わることができる）。さらに、リード２２の一端は台２１の外側に露出し、他端は台２１の開先２５に露出して、導電接点１２と互いに引っかける。台２１と本体１０が平行状態のとき、台２１と導電接点１２表面の一端に向かい合った表面は封止状態であり、他の一面は開放状態である。
【００１９】
本考案を組み立てするときは、図３、４に示すように、差込み２０と本体１０を平行して本体１０に挿入して置き、本体１０の導電接点１２を有する一端を台２１の開先２５に収納する。さらに、挿入物１３上の引っかけ部１４は台２１側面の圧迫を受けたとき、本体１０の両側より本体１０に近づけ、引っかけ部１４は挿入溝２３に露出したとき、挿入物１３は台２１の制限を受けないため、自身の弾性働きにより、元の状態に戻される（図４に示す）。差し込み２０は台２１に収納された一端は本体１０端面の導電接点１２互いに引っかけて導通状態となる。さらに、台２１の封止面は導電接点１２の他端に被せて、利用者の不注意により接点に触れることを避ける。
【００２０】
図３、６に示す通り、リード２２と電源コンセントの形状は円頭状又は扁平状より構成される。
【００２１】
図５に示すものは、利用者は差込み２０を垂直の角度で本体１０と接続するとき、台２１のリード２２を台２１に開放状態に倒し、元の位置に対して９０度にしてから、台２１を１８０度回転させ、台２１の封止面と本体１０の導電接点１２の端面と向かい合わせてた上、台２１を本体１０に挿入して、本体１０に導電接点１２を設ける端を台２１の開先２５に収納する。さらに、挿入物１３上の引っかけ部１４は台２１側面の圧迫を受けたとき、本体１０の両側より本体１０に近づけ、引っかけ部１４は挿入溝２３に露出したとき、挿入物１３は台２１の制限を受けないため、自身の弾性働きにより、元の状態に回復される（図４に示す）。リード２２は台２１に収納された一端は導電接点１２の他端互いに引っかけて、導通状態になる。さらに、台２１の封止面は導電接点１２の他端に被せて、利用者の不注意により接点に触れることを避ける。
【００２２】
図７に示す通り、本体１０は電源差込のほか、変圧器にも使用できる。その変圧器の構造は一般公知の構造と同じのため、新たな説明を省略する。さらに、図８に示す通り、本体１０の表面に光源１５を取り付けることができる。本実施例は、発光ダイオードを使用する。光源１５は本体内部の電気回路と接続して置き、差込み２０を電源コンセント上に挿入したとき、光源１５を発光させ、常夜灯として使用できる。
【００２３】
前述した実施例の最良形態の開示により、本考案の設計は差込みの使用効率を向上できるほか、公知技術の問題点を改良できる上、特殊な効果を有する。本考案構造の特長及び実施例の詳細説明により、本考案の目的及び効果とも実施の進歩性があり、産業上の利用価値は極めて大きい。
【００２４】
前述した内容は本考案実施の最良形態を説明するものであり、本考案の実施範囲に制限を加わるべきではない。たとえば、挿入溝と引っかけ部の置き換え、及び点と穿孔の対応など、本考案の請求範囲による変更又は修飾は、本考案の請求範囲に含まれるものと考える。
【図面の簡単な説明】
【００２５】
【図１】公知の装置の概略図。
【図２】本考案の立体分解概略図。
【図３】本考案の差込みと本体を結合したときの一つの角度の立体概略図。
【図４】本考案の差込みと本体を結合したときの断面概略図。
【図５】本考案の差込みと本体を結合したときの他の角度の立体概略図。
【図６】本考案のもう一つの差込みと本体を結合したとき、立体概略図。
【図７】本考案のもう一つの実施例。
【図８】本考案のさらにもう一つの実施例。
【符号の説明】
【００２６】
１０  本体
１１  電気回線
１２  導電接点
１３  挿入物
１４  引っかけ部
１５  光源
２０  差込み
２１  台
２２  リード
２３  挿入溝
２５  開先
【図１】
0003113417.tif 000003
【図２】
0003113417.tif 000004
【図３】
0003113417.tif 000005
【図４】
0003113417.tif 000006
【図５】
0003113417.tif 000007
【図６】
0003113417.tif 000008
【図７】
0003113417.tif 000009
【図８】
0003113417.tif 000010